(57)【特許請求の範囲】
【請求項１】
ソースを負荷に結合するデバイスであって、前記デバイスは、
第１のソースから生じる第１の入力信号を第１の出力信号に変換する第１のコンバータであって、当該第１のコンバータは制御信号を受け取る制御入力部を有し、前記制御信号の制御値は前記第１の出力信号の第１のパラメータを規定する当該第１のコンバータと、
前記第１の出力信号を受け取り、第２のソースから又は前記第２のソースに結合された第２のコンバータから生じる第２の出力信号を受け取り、前記負荷に向かって電力信号を与える回路であって、前記第２のソースがソーラパネルを有する当該回路と、
前記第２のコンバータから供給される電力の量を最大にするために、前記第１のコンバータを介して前記負荷に供給される電力の量を最小にするように、前記第１の入力信号又は前記第１の出力信号の第２のパラメータの変化の検出に応じて、前記制御信号の前記制御値を適合させるコントローラとを有する、
当該デバイス。
【請求項２】
前記第１の入力信号又は前記第１の出力信号の前記第２のパラメータの前記変化が、第１の状況では、この第２のパラメータの増加を含み、その場合、前記制御信号の前記制御値の適合が、前記第１の出力信号の前記第１のパラメータが低下されるように規定し、
前記第１の入力信号又は前記第1の出力信号の前記第２のパラメータの前記変化が、第２の状況では、この第２のパラメータの低下を含み、その場合、前記制御信号の前記制御値の前記適合が、前記第１の出力信号の前記第１のパラメータが増加されるように規定する、請求項１記載のデバイス。
【請求項３】
前記制御信号の前記制御値の前記適合が、前記第１の入力信号又は前記第１の出力信号の前記第２のパラメータが閾値よりも小さいいかなる状況においても前記第１の出力信号の前記第１のパラメータが増加されるように規定する、請求項２記載のデバイス。
【請求項４】
前記第１の入力信号又は前記第１の出力信号が第１の入力又は出力電流信号を有し、前記第１の入力信号又は前記第１の出力信号の前記第２のパラメータが前記第１の入力又は出力電流信号の二乗平均平方根値を有し、前記制御信号が制御電圧信号を有し、前記制御信号の前記制御値が前記制御電圧信号の振幅を有し、前記第１の出力信号が第１の出力電圧信号を有し、前記第１の出力信号の前記第１のパラメータが前記第１の出力電圧信号の振幅を有する、請求項１記載のデバイス。
【請求項５】
前記第１の入力信号又は前記第１の出力信号の前記第２のパラメータを記憶するメモリを更に有する、請求項１記載のデバイス。
【請求項６】
前記第１の入力信号若しくは前記第１の出力信号及び／又は前記第１の入力信号若しくは前記第１の出力信号の前記第２のパラメータを監視するモニタを更に有する、請求項１記載のデバイス。
【請求項７】
前記第２のコンバータを更に有する、請求項１記載のデバイス。
【請求項８】
前記第１のコンバータがＡＣ−ＤＣコンバータを有し、前記第１のソースが電源供給部を有する、請求項１記載のデバイス。
【請求項９】
前記第２のコンバータが、前記第２のソースから生じる第２の入力信号を前記第２の出力信号に変換するＤＣ−ＤＣコンバータを有する、請求項１記載のデバイス。
【請求項１０】
前記コントローラが、前記第２の出力信号から及び／又は前記第２の入力信号から独立して動作する、請求項９記載のデバイス。
【請求項１１】
前記コントローラが、時間間隔当たり一度前記制御信号の前記制御値を適合させる、請求項１記載のデバイス。
【請求項１２】
請求項１記載のデバイスを有し、第２のコンバータ、第２のソース及び／又は負荷を更に有する、システム。
【請求項１３】
ソースを負荷に結合するデバイスに関する方法であって、前記デバイスは、第１のソースから生じる第１の入力信号を第１の出力信号に変換する第１のコンバータであって、当該第１のコンバータは制御信号を受け取る制御入力部を有し、前記制御信号の制御値は前記第１の出力信号の第１のパラメータを規定する当該第１のコンバータと、第１の出力信号を受け取り、第２のソースから又は前記第２のソースに結合された第２のコンバータから生じる第２の出力信号を受け取り、前記負荷に向かって電力信号を与える回路であって、前記第２のソースがソーラパネルを有する当該回路とを有し、当該方法が、
前記第２のコンバータから供給される電力の量を最大にするために、前記第１のコンバータを介して前記負荷に供給される電力の量を最小にするように、前記第１の入力信号又は前記第１の出力信号の第２のパラメータの変化の検出に応じて、前記制御信号の前記制御値を適合させるステップを有する、
当該方法。
【請求項１４】
コンピュータ上で実行される際に請求項１３記載の方法の前記ステップを実行する、コンピュータプログラム。
【請求項１５】
請求項１４記載のコンピュータプログラムを記憶して持つ、媒体。
【発明の詳細な説明】
【技術分野】
【０００１】
本発明は、ソースを負荷に結合するデバイスに関する。本発明は、更に、システム、方法、コンピュータプログラム製品及び媒体に関する。
【０００２】
そのようなデバイスの例は電力変換デバイスであり、そのようなシステムの例はソース、負荷及びそれらの部品である。
【背景技術】
【０００３】
米国特許出願公開ＵＳ２０１２／０１７３０３１Ａ１公報には、リアルタイム電力点キャリブレーションシステムが開示されている。この公報の要約に開示されているように、光起電アレイの動作点を決定するために、交流電力源により供給される電力の量が調整される。図３に示され、段落００８４において論じられているように、光起電アレイにおける電流又は電圧の指示は、光起電アレイの出力が目標の電流又は電圧に達したかどうかを決定するために用いられる。
【発明の概要】
【発明が解決しようとする課題】
【０００４】
本発明の目的は、改善されたデバイスを提供することにある。本発明の更なる目的は、システム、改善された方法、コンピュータプログラム製品及び媒体を提供することにある。
【課題を解決するための手段】
【０００５】
第１の観点によれば、ソースを負荷に結合するデバイスであって、第１のソースから生じる第１の入力信号を第１の出力信号に変換する第１のコンバータであって、当該第１のコンバータは制御信号を受け取る制御入力部を有し、上記制御信号の制御値は上記第１の出力信号の第１のパラメータを規定する当該第１のコンバータと、上記第１の出力信号を受け取り、第２のソースから又は上記第２のソースに結合された第２のコンバータから生じる第２の出力信号を受け取り、上記負荷に向かって電力信号を与える回路であって、上記第２のソースがソーラパネルを有する当該回路と、上記第１の入力又は出力信号の第２のパラメータの変化の検出に応じて、上記制御信号の上記制御値を適合させるコントローラとを有する当該デバイスが提供される。
【０００６】
第１のコンバータは、例えばバッテリ又は電源供給部のような第１のソースから生じる第１の入力信号を第１の出力信号に変換する。この第１のコンバータは、制御信号を受け取る制御入力部を備えている。制御信号の制御値は、第１の出力信号の第１のパラメータを規定する。回路は、第１の出力信号を受け取り、第２のソースから生じる又は第２のソースに結合された第２のコンバータからの第２の出力信号を受け取り、負荷に電力信号を与える。上記第２のソースはソーラパネルを有している。
【０００７】
上記デバイスは、更に、第１の入力又は出力信号の第２のパラメータの変化の検出に応じて、上記制御信号の上記制御値を適合させるコントローラを有している。言い換えると、第２のソースの出力が目標の電流又は電圧に達したかどうかを決定するために第２のソース（光起電アレイ）における電流又は電圧を検出する米国特許出願公開ＵＳ２０１２／０１７３０３１Ａ１公報のシステムに反して、上記された改善されたデバイスは、第１のコンバータの入力又は出力部において第１の入力又は出力信号の第２のパラメータの変化を検出する。検出に応じて、制御信号の制御値が適合される。
【０００８】
結果として、米国特許出願公開ＵＳ２０１２／０１７３０３１Ａ１公報のシステムと比較して、もはや第２のソース（光起電アレイ）の出力部における２つの不都合なセンサを必要とせず、もはや第２のソースに注意を向ける必要がなく、もはやいかなる較正も必要とせず、第１の入力又は出力信号に注意を向ける改善されたデバイスが作り出された。第２のソースに注意を向けるのではなく、第１のコンバータに注意を向けることにより、複雑さが大きく低減される。これらは全て大きな利点ある。
【０００９】
上記回路は、第２のコンバータを有する若しくは有していない第２のソースから又は第２のソースに結合された第２のコンバータから第２の出力信号を受け取る。そのような回路は、例えば、２つの出力信号を電力信号に結び付ける２つのダイオード又は２つの抵抗を有している。各出力信号はダイオード／抵抗の一方の側に供給され、ダイオード／抵抗の他方の側は出力信号を与えるために互いに結合されている。他の種類の回路も排除されるべきではない。
【００１０】
米国特許出願公開ＵＳ２０１２／０１７３０３１Ａ１公報は、段落００３６及び段落００６４において、第１のコンバータの出力部及び回路の出力部における電流及び電圧の指示が同様に用いられ得ることを開示している。しかしながら、これらの指示は、光起電センサの結果に応じて行われる計算及び較正をサポートするために専ら用いられる。これらの指示は、これらの電流及び電圧の変化の検出に応じて制御信号の制御値を適合させるためには用いられていない。
【００１１】
ソーラパネルを有する第２のソースは光起電アレイとしても知られ及び／又は光起電アレイを有し、任意の種類の太陽光依存発電器（solar-dependent-generator）であり得る。
【００１２】
上記デバイスの一実施形態は、第１の状況では、上記第２のパラメータを増加させること及び上記第１の出力信号の上記第１のパラメータを規定する上記制御信号の上記制御値が低下されるように適合させることを有し、第２の状況では、この第２のパラメータを低下させること及び上記第１の出力信号の上記第１のパラメータを規定する上記制御信号の上記制御値が増加されるように適合させることを有する上記第１の入力又は出力信号の上記第２のパラメータの変化により規定される。第１の入力又は出力信号の第２のパラメータが増加（低下）すると、制御信号の制御値は、第１の出力信号の第１のパラメータを低下（増加）するように規定すべきである。従って、第１の入力又は出力信号の第２のパラメータが増加（低下）すると、第１のコンバータ２１により届けられる電力の量は低下（増加）すべきである。好ましくは、制御信号の制御値を適合させることにより、第１のコンバータ２１を介して供給される電力の量が最小にされる。
【００１３】
上記デバイスの一実施形態は、上記第１の入力又は出力信号の上記第２のパラメータが閾値よりも小さいいかなる状況においても上記第１の出力信号の上記第１のパラメータが増加されるように規定する上記制御信号の上記制御値の適合により規定される。第１の入力又は出力信号の第２のパラメータが閾値よりも小さい場合、制御信号の制御値は第１の出力信号の第１のパラメータが増加されるように規定すべきである。従って、第１の入力又は出力信号の第２のパラメータがあまりにも低い／あまりにも小さい場合、第１のコンバータを介して届けられる電力は増加されるべきである。
【００１４】
上記デバイスの一実施形態は、第１の入力又は出力電流信号を有する上記第１の入力又は出力信号及び第１の入力又は出力電流信号の二乗平均平方根値を有する上記第１の入力又は出力信号の上記第２のパラメータと、制御電圧信号を有する上記制御信号及び上記制御電圧信号の振幅を有する上記制御信号の上記制御値と、第１の出力電圧信号を有する上記第１の出力信号及び上記第１の出力電圧信号の振幅を有する上記第１の出力信号の上記第１のパラメータとにより規定される。好ましくは、制御電圧信号の第１の振幅を適合させることにより、第１のコンバータを介して供給される電力の量が最小にされる。電力信号はグリッド信号としても知られている。他の種類の信号、パラメータ及び値が排除されるべきではない。
【００１５】
上記デバイスの一実施形態は、上記第１の入力又は出力信号の上記第２のパラメータを記憶するメモリを更に有することにより規定される。古い、より早い第２のパラメータ（の値）を記憶し、新しい現在の第２のパラメータ（の値）を検出し、それらを比較することにより、第２のパラメータ（の値）の変化が検出され得る。上記メモリは、コントローラの一部を形成していてもしていなくてもよい。
【００１６】
上記デバイスの一実施形態は、上記第１の入力若しくは出力信号及び／又は上記第１の入力若しくは出力信号の上記第２のパラメータを監視するモニタを更に有することにより規定される。第１の入力又は出力信号及び／又は第１の入力又は出力信号の第２のパラメータを監視することにより、第２のパラメータ（の値）が記憶／検出される。上記モニタは、コントローラの一部を形成していてもしていなくてもよい。
【００１７】
上記デバイスの一実施形態は、第２のコンバータを更に有することにより規定される。そのようなデバイスは、それ自体第２のコンバータを有する必要がない第２のソースに直接的に結合され得る。
【００１８】
上記デバイスの一実施形態は、ＡＣ−ＤＣコンバータを有する第１のコンバータ及び電源供給部を有する第１のソースにより規定される。好ましくは、第１の入力信号を第１の出力信号に変換するために交流−直流コンバータが用いられる。しかしながら、他の種類のコンバータが排除されるべきではない。例えば、バッテリの形態の第１のソースの場合、直流−直流コンバータが必要とされる。
【００１９】
上記デバイスの一実施形態は、第２のソースから生じる第２の入力信号を第２の出力信号に変換するＤＣ−ＤＣコンバータを有する第２のコンバータにより規定される。好ましくは、第２の入力信号を第２の出力信号に変換するために直流−直流コンバータが用いられる。通常、ソーラパネル光起電アレイ又は他の種類の太陽光依存発電器を有する形態の第２のソースは、直流信号を生成する。しかしながら、他の種類のコンバータが排除されるべきではない。例えば、交流信号を生成する第２のソースの場合、交流−直流コンバータが必要とされる。
【００２０】
上記デバイスの一実施形態は、第２の制御信号から及び／又は第２の入力信号から独立して動作するコントローラにより規定される。第２のソース（光起電アレイ）の出力部における電流及び電圧を検出し、第２のソースに入射する入力光を検出し、これらの個々の信号に完全に依存する米国特許出願公開ＵＳ２０１２／０１７３０３１Ａ１公報のシステムに反して、上記された改善されたデバイスは、好ましくは、第２の制御信号から及び第２の入力信号から相対的に独立して動作し、決定の基礎として専ら第１の入力又は出力信号を用いる。
【００２１】
上記デバイスの一実施形態は、時間間隔当たり一度制御信号の制御値を適合させるコントローラにより規定される。好ましくは、第１の入力又は出力信号の第２のパラメータの変化が時間間隔当たり一度検出され、制御信号の制御値に応じて適合されるか、又は、第１の入力又は出力信号の第２のパラメータの変化がより頻繁に検出され、制御信号の制御値に応じて時間間隔当たり一度適合される。上記時間間隔は、固定されていてもフレキシブルであってもよい。
【００２２】
第２の観点によれば、上記に規定されたデバイスを有し、第２のコンバータ、第２のソース及び／又は負荷を更に有するシステムが提供される。
【００２３】
第３の観点によれば、ソースを負荷に結合するデバイスに関する方法であって、上記デバイスは、第１のソースから生じる第１の入力信号を第１の出力信号に変換する第１のコンバータであって、当該第１のコンバータは制御信号を受け取る制御入力部を有しており、上記制御信号の制御値は上記第１の出力信号の第１のパラメータを規定する当該第１のコンバータと、第１の出力信号を受け取り、第２のソースから又は上記第２のソースに結合された第２のコンバータから生じる第２の出力信号を受け取り、上記負荷に向かうことになっている電力信号を与える回路であって、上記第２のソースがソーラパネルを有する当該回路とを有し、当該方法が、上記第１の入力又は出力信号の第２のパラメータの変化の検出に応じて、上記制御信号の上記制御値を適合させるステップを有する当該方法が提供される。
【００２４】
第４の観点によれば、コンピュータ上で実行される際に上記に規定された方法の上記ステップを実行するコンピュータプログラムが提供される。
【００２５】
第５の観点によれば、上記に規定されたコンピュータプログラムを記憶し、有する媒体が提供される。
【００２６】
基本的な考え方は、第１のソースに結合された第１のコンバータに向かうことになっている制御信号の制御値を適合させるために第１の入力又は出力信号の第２のパラメータの変換の検出が用いられるべきであるということである。
【００２７】
改善されたデバイスを提供するための問題点は解決されている。更なる利点は、デバイスがより頑強で、より効率的であり、低コストなことである。
【００２８】
本発明のこれら及びその他の観点は、以下に説明される実施形態から明らかであり、以下に説明される実施形態を参照して理解されるであろう。
【図面の簡単な説明】
【００２９】
【図１】デバイスの一実施形態を示している。
【図２】流れ図を示している。
【発明を実施するための形態】
【００３０】
図１には、デバイス２０の一実施形態が示されている。デバイス２０は、第１のソース１１から生じる第１の出力信号を受け取る電源供給部（mains supply）のような第１のソース１１に結合された入力部と、第１の出力信号を与える回路２３の第１の入力部に結合された出力部とを備えた第１のコンバータ２１を有している。第１のコンバータ２１は、制御信号を受け取る制御入力部を有している。上記制御信号の制御値は第１の出力信号の第１のパラメータを規定する。回路２３は、第２のソース１２から生じる第２の出力信号を受け取る第２のコンバータ２２の出力部に結合された第２の入力部を備えている。第２のソース１２の入力部は、第２のソース１２から第２の入力信号を受け取るソーラパネルを有する第２のソース１２に結合されている。
【００３１】
代替として、第２のコンバータ２２は、省略されてもよいし、第２のソース１２の一部を形成していてもよく、その場合、回路２３の第２の入力部は第２のソース１２により直接的に結合される。回路２３は、例えば２つのダイオードを有しており、アノードはコンバータ２１、２２の出力部に結合され、カソードは互いに結合されている。代替として、回路２３は、それぞれがダイオードの１つに取って代わる２つの抵抗等を有していてもよい。回路２３は、コンバータ２１、２２からの出力信号を結び付け、負荷１３に向かうことになっている（destined）電力信号を与える。回路２３には、更なる回路構成が存在し得る。
【００３２】
デバイス２０は、第１の入力又は出力信号の第２のパラメータの変化の検出に応じて上記制御信号の制御値を適合させるコントローラ２４を有している。また図２に示されている流れ図によっても説明されるように、第１の状況では、第１の入力又は出力信号の第２のパラメータの変化はこの第２のパラメータの増加を有し、その場合、制御信号の制御値の適合は第１の出力信号の第１のパラメータを低減するように規定する。第２の状況では、第１の入力又は出力信号の第２のパラメータの変化はこの第２のパラメータの低下を有し、その場合、制御信号の制御値の適合は第１の出力信号の第１のパラメータを増加するように規定する。第１の入力又は出力信号の第２のパラメータが増加（低下）すると、制御信号の制御値は、第１の出力信号の第１のパラメータを低下（増加）するように規定すべきである。このように、第１の入力又は出力信号の第２のパラメータが増加（低下）すると、第１のコンバータ２１により届けられる電力の量は低下（増加）すべきである。上記制御信号の制御値の適合は、第１のコンバータ２１を介して供給される電力の量が最小にされるようなものである。
【００３３】
第１の入力又は出力信号の第２のパラメータが閾値よりも小さい場合、いかなる状況においても、制御信号の制御値の適合は、第１の出力信号の第１のパラメータを増加するように規定する。第１の入力又は出力信号の第２のパラメータがあまりにも低い／あまりにも小さい場合、第１のコンバータ２１を介して届けられる電力は増加されるべきである。
【００３４】
単なる一例として、第１の入力又は出力信号は第１の入力又は出力電流信号を有し、第１の入力又は出力信号の第２のパラメータは上記第１の入力又は出力電流信号の二乗平均平方根値を有している。制御信号は制御電圧を信号を有し、制御信号の制御値は制御電圧信号の振幅を有している。第１の出力信号は第１の出力電圧信号を有し、第１の出力信号の第１のパラメータは第１の出力電圧信号の振幅を有している。
【００３５】
コントローラ２４は、更に、第１の入力又は出力信号の第２のパラメータを記憶するメモリ２６並びに／又は、第１の入力又は出力信号及び／若しくは第１の入力又は出力信号の第２のパラメータを監視するモニタ２７を有している。デバイス２０は、更に、第１のコンバータ２１の制御入力部に制御信号を与えるインターフェース２５及び／又はプロセッサ２８を有している。代替として、メモリ２６、モニタ２７及びインターフェース２５の１つ以上はプロセッサ２８の一部を形成していてもよいし、プロセッサ２８がメモリ２６、モニタ２７及びインターフェース２５の１つ以上の一部を形成していてもよい。モニタ２７は、例えば、電流検出器及び／又は電圧検出器を有していてもよいし、例えば、アナログ−デジタルコンバータを有していてもよい。インターフェース２５は、例えば、デジタル−アナログコンバータを有している。代替として、メモリ２６、モニタ２７及びインターフェース２５の１つ以上がコントローラ２４の外部に位置していてもよい。
【００３６】
第１のコンバータ２１は、例えば、ＡＣ−ＤＣコンバータを有し、第２のコンバータ２２は、例えば、ＤＣ−ＤＣコンバータを有している。デバイス２０のコントローラ２４は、好ましくは、第２のコンバータ２２からの第２の出力信号から独立して動作し、好ましくは、時間間隔当たり一度制御信号の制御値を適合させる。ＡＣ−ＤＣコンバータの制御入力部は、例えば、ＦＢピンとしても知られるフィードバックピンである。コントローラ２４は、第１の入力信号の第２のパラメータの検出の決定に応じて、第１の出力信号の第２のパラメータの変化に検出に応じて又はそれらの両方に応じて制御信号の制御値を適合させる。
【００３７】
図２には流れ図が示されており、以下のブロックは以下の意味を有している。
ブロック３１：スタート、ブロック３２に進む。
ブロック３２：制御信号の既定制御値を設定、ブロック３３に進む。
ブロック３３：第１の入力又は出力信号の第２のパラメータを測定し、旧第２パラメータ値としてそれを記録、ブロック３４に進む。
ブロック３４：第１の刻み値（step value）で制御信号の制御値を増加させ、ブロック３５に進む。
ブロック３５：第１の入力又は出力信号の第２のパラメータを測定し、新第２パラメータ値としてそれを記録、ブロック３６に進む。
ブロック３６：上記新第２パラメータ値が上記旧第２パラメータ値よりも小さく、閾値よりも大きい？ｙｅｓの場合、上記旧第２パラメータ値に上記新第２パラメータの値を与え、ブロック３４に進む。ｎｏの場合、ブロック３７に進む。
ブロック３７：上記新第２パラメータ値が上記旧第２パラメータ値よりも大きく且つ閾値よりも大きい？ｙｅｓの場合、上記旧第２パラメータ値に上記新第２パラメータの値を与え、ブロック３８に進む。ｎｏの場合、上記旧第２パラメータ値に或る新第２パラメータの値を与え、ブロック３４に進む。
ブロック３８：第２の刻み値で制御信号の制御値を低下させ、ブロック３５に進む。
【００３８】
従って、スタート（ブロック３１）の後、制御信号の既定制御値が設定される（ブロック３２）。第１の入力又は出力信号の第２のパラメータが測定され、旧第２パラメータ値として記憶される（ブロック３３）。その後、制御信号の制御値が第１の刻み値で増加され（ブロック３４）、第１の入力又は出力信号の第２のパラメータが再度測定され、新第２パラメータ値として記憶される（ブロック３５）。この新第２パラメータ値が旧第２パラメータ値及び閾値と比較され（ブロック３６）、旧第２パラメータ値よりも小さく、閾値よりも大きい場合には、旧第２パラメータ値が上記新第２パラメータの値を与えられ、制御信号の制御値が第１の刻み値で再度増加される（ブロック３４）等である。旧第２パラメータ値よりも小さく、閾値よりも大きくはない場合、上記新第２パラメータ値が旧第２パラメータ値及び閾値と再度比較され（ブロック３７）、旧第２パラメータ値よりも大きく且つ閾値よりも大きい場合には、旧第２パラメータ値が上記新第２パラメータ値を与えられ、制御信号の制御値が第２の刻み値で低下され（ブロック３８）、第１の入力又は出力信号の第２のパラメータが再度測定され、或る新第２パラメータ値として記憶される（ブロック３５）等である。旧第２パラメータ値よりも大きく且つ閾値よりも大きくはない場合、旧第２パラメータ値は新第２パラメータの値を与えられ、制御信号の制御値は第１の刻み値で増加される（ブロック３４）等である。
【００３９】
多くの代替例がこの流れ図に対して考えられる。例えば、ブロック３６は、新第２パラメータ値が閾値よりも大きいかどうかのみを決定するために用いられ得る。ｎｏの場合、旧第２パラメータ値は新第２パラメータ値を与えられてブロック３４が再度実行され、ｙｅｓの場合、ブロック３７が実行される。その後、ブロック３７は、新第２パラメータ値が旧第２パラメータ値よりも大きいかどうかを決定するために用いられ、ｙｅｓの場合、旧第２パラメータ値は上記新第２パラメータの値を与えられてブロック３８が実行され、ｎｏの場合には、旧第２パラメータ値は新第２パラメータの値を与えられ、ブロック３４が再度実行される等である。上記第１及び第２のステップ値は、等しくても異なっていてもよく、それぞれが決まったサイズを有していてもフレキシブルなサイズを有していてもよい。
【００４０】
デバイス２０は、第２のコンバータ２２を介して負荷１３に供給される電力の量を直接的には最大にしないが、第１のコンバータ２１を介して負荷１３に供給される電力の量を最小にすることにより第２のコンバータ２２を介して負荷１３に供給される電力の量を間接的に最大にする。第１のコンバータ２１を介して供給される電力の量は、第１のコンバータ２１に入る又は第１のコンバータ２１から出る第１の入力又は出力信号の検出に応じて第１のコンバータ２１を調節することにより最小にされる。
【００４１】
要約すると、ソース１１、１２を負荷１３に結合するデバイス２０が、第１のソース１１からの第１の入力信号を第１の出力信号に変換する第１のコンバータ２１を有している。第１のコンバータ２１は、制御信号を受け取る制御入力部を有している。制御信号の制御値は、第１の出力信号の第１のパラメータを規定する。デバイス２０の回路２３は、第１の出力信号を受け取るとともに、第２のソース１２から又は第２のソース１２に結合された第２のコンバータから生じる第２の出力信号を受け取り、電力信号を負荷１３に与える。第２のソース１２は、ソーラパネルを有している。コントローラ２４は、第１の入力又は出力信号の第２のパラメータの変化の検出に応じて制御信号の制御値を適合させる。コントローラ２４は、第２の出力信号及び第２の入力信号から独立して動作し得る。
【００４２】
本発明が図面及び前述の説明において詳細に例示及び説明されたが、そのような例示及び説明は実例又は典型的であると理解されるべきであり、限定的に理解されるべきではなく、本発明は開示された実施形態に限定されるものではない。開示された実施形態に対する他の変形形態が、図面、この開示及び添付の特許請求の範囲の研究から請求項に係る発明を実行する際に当業者により理解され、もたらされ得る。特許請求の範囲において、「有する」という用語は、他の構成要素又はステップを排除するものではなく、不定冠詞「a」又は「an」は複数を排除するものではない。或る方策が互いに異なる従属請求項に列挙されているという単なる事実は、これらの方策の組み合わせが有利に用いられないことを示してはいない。特許請求の範囲におけるいかなる参照符号もが範囲を限定するように解釈されるべきではない。
【図１】
0006509191.tif 000002
【図２】
0006509191.tif 000003